【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】  沸騰水型原子炉圧力容器（１０）内において第１の炉心スプレー分配ヘッダ管（１８）と第２の炉心スプレー分配ヘッダ管（２０）とを有する炉心スプレー分配ヘッダに対してカバー（１１２）を有するＴ−ボックス（２６）を締付けるクランプ装置（３６）に於て、
前記第１の分配ヘッダ管（１８）に締付けられ、第１の上側クランプ本体（４４Ａ）と下側クランプ本体（４６Ａ）とクランプ・ボルト及びナット集成体（４８Ａ）とを有する第１のクランプ集成体（３８）と、
前記第２の分配ヘッダ管（２０）に締付けられ、第２の上側クランプ本体（４４Ｂ）と第２の下側クランプ本体（４６Ｂ）とクランプ・ボルト及びナット集成体（４８Ｂ）とを有する第２のクランプ集成体（４０）と、
前記第１及び前記第２のクランプ集成体（３８，４０）に結合されるクランプ・ストロングバック集成体（４２）とを備え前記クランプ・ストロングバック集成体（４２）が、上側ストロングバック本体（７６）、下側ストロングバック本体（７８）及びカバー板（８０）を有し、
前記上側ストロングバック本体（７６）は前記Ｔ−ボックス（２６）の形と同形になると共に前記第１のクランプ集成体（３８）の前記第１の上側クランプ（４４Ａ）及び前記第２のクランプ集成体（４０）の前記第２の上側クランプ（４４Ｂ）に結合されるような形であり、
前記下側ストロングバック本体（７８）は前記Ｔ−ボックス（２６）の形と同形になると共に前記第１のクランプ集成体（３８）の前記第１の下側クランプ（４６Ａ）及び前記第２のクランプ集成体（４０）の前記第２の下側クランプ（４６Ｂ）に結合される形になっていることを特徴とするクランプ装置（３６）。
【請求項２】  各々の上側クランプ本体及び各々の下側クランプ本体（４４，４６）が前記ヘッダ管（１８，２０）の曲率と同形になるような形であって、その中を通抜けるクランプ・ボルト孔（５０）を構成している請求項１記載のクランプ装置（３６）。
【請求項３】  前記第１のクランプ集成体（３８）及び前記第２のクランプ集成体（４０）の各々の上側クランプ本体（４４）及び各々の下側クランプ本体（４６）が、第１の端及び第２の端、第１の平坦な側面（５２）及び前記ヘッダ管の曲率と同形になるような形の第２の側面（５４）を持つ細長い部材を構成し、前記第１の側面（５２）はそれから垂下するフランジ（５６）を有し、該フランジ（５６）は、前記第１の側面（５２）を第１の平坦な部分及び第２の平坦な部分に分割するような位置にあり、前記第１の平坦な部分が前記細長い部材の前記第１の端から前記フランジまで縦方向に延びる溝を構成している請求項１記載のクランプ装置（３６）。
【請求項４】  前記上側ストロングバック本体（７６）及び前記下側ストロングバック本体（７８）が何れも、第１の端及び第２の端、平坦な第１の部分、湾曲した第２の部分（８４）及び平坦な第３の部分（８８）を持つ細長い部材（８２）で構成され、前記第１及び第３の部分が実質的に整合し、前記第１の部分、前記第２の部分及び前記第３の部分の各々が第１の側面及び第２の側面（９０）を持ち、前記第２の部分の第２の側面はＴ−ボックス（２６）の曲率と同形になるような形であり、前記第１の部分の第２の側面（９４）が前記細長い部材の第１の端から前記第２の部分まで縦方向に延びる舌片を構成し、前記第３の部分の第２の側面が前記細長い部分の第２の端から前記第２の部分まで縦方向に延びる舌片（９２）を構成し、前記上側ストロングバック本体（７６）の前記第１の部分の舌片及び前記第３の部分の舌片が、前記第１及び第２の上側クランプ本体の溝（７４）と夫々係合するような形になっており、前記下側ストロングバック本体（７８）の前記第１の部分の舌片及び前記第３の部分の舌片が前記第１及び第２の下側クランプ本体（４６）の溝と夫々係合するような形になっている請求項３記載のクランプ装置（３６）。
【請求項５】  更に複数個のクロスボルト（９８）を有する請求項４記載のクランプ装置（３６）。
【請求項６】  前記上側（７６）及び下側（７８）のストロングバック本体の各々の前記第１の端及び前記第２の端が、前記クロスボルト（９８）に係合するような形のボルト孔（１０４）を構成し、前記第１のクランプ集成体（３８）及び前記第２のクランプ集成体（４０）の前記上側及び下側クランプ本体（４４，４６）のフランジ（５６，６８）が、前記クロスボルト（９８）を受容れるような形をした通抜けのボルト孔（１００）を構成している請求項５記載のクランプ装置（３６）。
【請求項７】  前記第１及び第２のクランプ集成体（４０）の前記上側及び下側クランプ本体（４４，４６）の各々のフランジ（５６，６８）にある各々の前記ボルト孔（１００）が、前記上側及び下側ストロングバック本体（７６，７８）の対応する端にあるボルト孔（１０４）と実質的に整合する形になっている請求項６記載のクランプ装置（３６）。
【請求項８】  前記カバー板（８０）が前記上側及び下側ストロングバック本体（７６，７８）に結合されており、前記カバー板（８０）が前記Ｔ−ボックスのカバー（１１２）に係合するような形になっている請求項４記載のクランプ装置（３６）。
【請求項９】  前記カバー板（８０）が、前記上側及び下側ストロングバック本体（７６，７８）に結合される形の略十字形を持つ平坦な部材で構成されている請求項８記載のクランプ装置（３６）。
【請求項１０】 さらに、前記クロスボルト（９８）に結合された複数の円錐形円盤ばねの積層を有し、この積層の各々は、夫々の上側または下側のクランプ本体のフランジに係合する請求項６記載のクランプ装置（３６）。
【請求項１１】  沸騰水型原子炉圧力容器用のクランプと炉心スプレー配管との集成体であって、この集成体は、
第１の炉心スプレー分配ヘッダ管（１８）と、
第２の炉心スプレー分配ヘッダ管（２０）と、
前記第１と第２の炉心スプレー分配ヘッダ管（１８，２０）が延出するＴ−ボックス（２６）と、
クランプ装置（３６）とを備え、
このクランプ装置が、
第１の分配ヘッダ管（１８）に締付けられ、第１の上側クランプ本体（４４Ａ）と下側クランプ本体（４６Ａ）とクランプ・ボルト及びナット集成体（４８Ａ）とを有する第１のクランプ集成体（３８）と、
第２の分配ヘッダ管（２０）に締付けられ、第２の上側クランプ本体（４４Ｂ）と第２の下側クランプ本体（４６Ｂ）とクランプ・ボルト及びナット集成体（４８Ｂ）とを有する第２のクランプ集成体（４０）と、
前記第１及び前記第２のクランプ集成体（３８，４０）に結合されるクランプ・ストロングバック集成体（４２）とを備え、
前記クランプ・ストロングバック集成体（４２）が、上側ストロングバック本体（７６）、下側ストロングバック本体（７８）及びカバー板（８０）を有し、
前記上側ストロングバック本体（７６）は前記Ｔ−ボックス（２６）の形と同形になると共に前記第１のクランプ集成体（３８）の前記上側クランプ（４４）及び前記第２のクランプ集成体（４０）の前記上側クランプ（４４）に結合されるような形であり、
前記下側ストロングバック本体（７８）は前記Ｔ−ボックス（２６）の形と同形になると共に前記第１のクランプ集成体（３８）の前記下側クランプ（４６）及び前記第２のクランプ集成体（４０）の前記下側クランプ（４６）に結合される形になっていることを特徴とする集成体。
【請求項１２】  各々の上側クランプ本体及び各々の下側クランプ本体（４４，４６）が前記ヘッダ管（１８，２０）の曲率と同形になるような形であって、その中を通抜けるクランプ・ボルト孔（５０）を構成している請求項１１記載の集成体。
【請求項１３】  前記第１のクランプ集成体（３８）及び前記第２のクランプ集成体（４０）の各々の上側クランプ本体（４４）及び各々の下側クランプ本体（４６）が、第１の端及び第２の端、第１の平坦な側面（５２，６４）、及び前記ヘッダ管（１８，２０）の曲率と同形になるような形をした第２の側面（５４，６６）を持つ細長い部材を構成し、前記第１の側面がそれから垂下するフランジ（５６，６８）を有し、該フランジ（５６，６８）は前記第１の側面（５２，６４）を第１の平坦な部分（５８，７０）及び第２の平坦な部分（６０，７２）に分割するような位置にあり、前記第１の平坦な部分（５８，７０）が前記細長い部材の第１の端からフランジ（５６，６８）まで縦方向に延びる溝（６２）を構成している請求項１１記載の集成体。
【請求項１４】  前記上側ストロングバック本体（７６）及び前記下側ストロングバック本体（７８）が、何れも、第１の端及び第２の端、平坦な第１の部分（８６）、湾曲した第２の部分（８４）及び平坦な第３の部分を持つ細長い部材（８２）で構成され、前記第１及び第３の部分（８６，８８）が実質的に整合し、前記第１の部分（８６）、前記第２の部分（８４）及び前記第３の部分（８８）の各々は第１の側面及び第２の側面を持ち、前記第２の部分（８４）の第２の側面（９０）は前記Ｔ−ボックス（２６）の曲率と同形になるような形をしており、前記第１の部分（８６）の第２の側面（９０）は、前記細長い部材（８２）の第１の端から第２の部分（８４）まで縦方向に延びる舌片（９２）を構成し、前記第３の部分（８８）の第２の側面（９０）は前記細長い部材（８２）の第２の端から前記第２の部分（８４）まで縦方向に延びる舌片（９２）を構成しており、前記上側ストロングバック本体（７６）の第１の部分の舌片（９２）及び第３の部分（８８）の舌片（９２）は、夫々前記第１及び第２の上側クランプ本体（４４）の溝（６２）に係合する形になっていて、前記下側ストロングバック本体（７８）の第１の部分の舌片（９２）及び第３の部分（８８）の舌片（９２）は、夫々前記第１及び第２の下側クランプ本体（４６）の溝（６２）に係合する形になっている請求項１３記載の集成体。
【請求項１５】  更に複数個のクロスボルト（９８）を有する請求項１４記載の集成体。
【請求項１６】  上側及び下側ストロングバック本体（７６，７８）の各々の第１の端及び第２の端が、クロスボルトに係合するような形のボルト孔（１０４）を構成しており、第１のクランプ集成体（３８）及び第２のクランプ集成体（４０）の各々上側及び下側のクランプ本体（４４，４６）のフランジ（５６，５８）が、前記クロスボルト（９８）を受容れるような形のボルト孔（１００）を構成しており、各々のフランジ（５６，５８）にある各々のボルト孔（１００）が、上側及び下側ストロングバック本体（７８）にある対応するボルト孔（１０４）と実質的に整合する形になっている請求項１５記載の集成体。
【請求項１７】  前記第１及び第２のクランプ集成体（４０）の前記上側及び下側クランプ本体（４４，４６）の各々のフランジ（５６，６８）にある各々の前記ボルト孔（１００）が、前記上側及び下側ストロングバック本体（７６，７８）の対応する端にあるボルト孔（１０４）と実質的に整合する形になっている請求項１６記載の集成体。
【請求項１８】  さらに、前記クロスボルト（９８）に結合された複数の円錐形円盤ばねの積層を有し、この積層の各々は、夫々の上側または下側のクランプ本体のフランジに係合する請求項１６記載の集成体。
【請求項１９】  前記カバー板（８０）が、上側及び下側ストロングバック本体（７６，７８）に結合される形の略十字形を持つ平坦な部材で構成されている請求項１４記載の集成体。
【手続補正２】
【補正対象書類名】明細書
【補正対象項目名】発明の名称
【補正方法】変更
【補正の内容】
【発明の名称】クランプ装置およびその集成体